(57)【特許請求の範囲】
【請求項１】
平面視円形に形成された筐体の表面に電極が配備された電気音響変換器と組み合わせて用いられる電気音響変換器用ソケットであって、
上記変換器の筐体の上に重なり状に配備されるボディに、上記電極に接触する接点を先端部に具備する接片部材とこの接片部材に電気的に接続されて配線基板の回路パターンに半田付けされる端子とが設けられ、上記ボディが上記筐体の外輪郭線の外側へはみ出さない大きさに形成されていると共に、上記ボディにおける上記変換器の筐体の表面との対向箇所に凹入部が具備され、上記接片部材が、上記凹入部の端面を起点として上記筐体の外輪郭線に沿って円弧状に延び出て、上記筐体の外輪郭線の外側へはみ出さない状態でその筐体の表面に沿って延出され、その接片部材の接点が上記変換器側の電極に弾接されていることを特徴とする電気音響変換器用ソケット。
【請求項２】
上記ボディが合成樹脂成形体でなり、そのボディに金属製の板片が埋入されていると共に、この板片に連設されて上記端子と共に配線基板の半田ランドに半田付けされるダミー端子がボディ外周端面から突出されている請求項１に記載した電気音響変換器用ソケット。
【請求項３】
上記ボディが合成樹脂成形体でなり、そのボディに金属製の板片が埋入されていると共に、上記接片部材とその接片部材に連設された端子とが上記板片に連設されている請求項１又は請求項２に記載した電気音響変換器用ソケット。
【請求項４】
上記板片に、上記変換器の筐体の外周部をボディとで挟持する係合部を形成した上記変換器の筐体を抱持するためのアームが連設されている請求項２又は請求項３に記載した電気音響変換器用ソケット。
【発明の詳細な説明】
【０００１】
【発明の属する技術分野】
本発明は、電気音響変換器用ソケットに関する。
【０００２】
【従来の技術】
本願出願人は、先に図７に分解斜視図で示したレシーバなどとして用いられる電気音響変換器（以下「変換器」という）１や、その変換器１と組み合わせて用いられるホルダーとしての機能を備えたソケット２を提案した（特願平１０−２１９０２７号）。変換器１は、その偏平な筐体１２の表面の２箇所にその表面と略面一に電極１３，１３が配備されている。これに対し、ソケット２は上記筐体１２の外側に嵌め込まれる枠体２１を有していて、その枠体２１の２箇所に接片部材２２，２２やその接片部材２２，２２に連設されて枠体２１の外側に突き出た端子２３，２３が備わっていると共に、その枠体２１の他の箇所に外側に突き出たダミー端子２４が設けられ、さらに、その枠体２１の内側の複数箇所には、上記変換器１の筐体１２を抱持するための係合爪２４などが備わっている。
【０００３】
そして、変換器１の筐体１２の外側にソケット２の枠体２１を嵌め込み、係合爪２４によって上記筐体１２を抱持させると、ソケット２側の２つの接片部材２２，２２の先端部の接点２２ａ，２２ａが変換器１側の２つの電極１３，１３に弾接する。そのため、ソケット２側の端子２３，２３を配線基板の回路パターン（不図示）に半田付けしておくことによって、その回路パターンと電極１３，１３とがソケット２の端子２３，２３や接片部材２２，２２を介して電気的に接続される。
【０００４】
したがって、変換器１の電極１３，１３と配線基板の回路パターンとの接続にリード線を用いる必要がなくなるため、リード線接続作業を省略することができる利便がある。
【０００５】
【発明が解決しようとする課題】
しかしながら、図７で説明した従来のソケット２は、その枠体２１を変換器１の筐体１２の外側に嵌め込むようになっているため、筐体１２に枠体２１を嵌め込んだ組立状態では枠体２１が筐体１２の外側にはみ出し、ソケット２を装着した変換器１を平面視で見たときの全体の外観が、どうしても変換器１の筐体１２自体よりも大きくなる。そのため、携帯電話機などの小型機器に組み込む場合に変換器１の筐体１２よりも大きなソケット２の組込みスペースを確保せざるを得ず、そのことが、機器の小型化を阻害する要因になっていた。
【０００６】
また、上記ソケット２の枠体２１が反り変形などの変形を生じて変換器１側の電極１３とソケット２側の接片部材２２の接点２２ａとの接触安定性が損なわれるおそれがあった。
【０００７】
さらに、図７で判るように、枠体２１の内側へまっすぐに突き出た接片部材２２の先端部の接点２２ａが変換器１側の電極１３に弾接するようになっていたため、小型機器に組み込まれる小型の電気音響変換器では、接片部材２の長さを十分に長くすることに制約があり、そのために大きな接点圧を長期にわたって確保しにくいという問題があった。
【０００８】
本発明は以上の状況や問題に鑑みてなされたものであり、ソケットを装着した変換器を平面視で見たときの全体の外観が、変換器の筐体の大きさよりも大きくならないようにして、携帯電話機などの小型機器に組み込む場合に必要な組込みスペースを狭くすることが可能な電気音響変換器用ソケットを提供することを目的とする。
【０００９】
また、本発明は、小型であっても変換器側の電極に対するソケット側の接片部材の接点の接点圧を長期に亘って大きく確保することができ、しかも、接触安定性が向上する電気音響変換器用ソケットを提供することを目的とする。
【００１０】
【課題を解決するための手段】
図面を参照して本発明の電気音響変換器用ソケットを説明する。なお、この欄で図中の符号を使用したのは、発明の内容の理解を助けるためであって、内容を図例に限定する意図ではない。
【００１１】
本発明に係る電気音響変換器用ソケットは、平面視円形に形成された筐体６１の表面に電極６８が配備された電気音響変換器６０と組み合わせて用いられる。そして、上記変換器６０の筐体６１の上に重なり状に配備されるボディ７１に、上記電極６８に接触する接点７２ａを先端部に具備する接片部材７２とこの接片部材７２に電気的に接続されて配線基板の回路パターンに半田付けされる端子７３とが設けられ、上記ボディ７１が上記筐体６１の外輪郭線の外側へはみ出さない大きさに形成されていると共に、上記ボディ７１における上記変換器６０の筐体６１の表面との対向箇所に凹入部７７が具備され、上記接片部材７２が、上記凹入部７７の端面７７ａを起点として上記筐体６１の外輪郭線に沿って円弧状に延び出て、上記筐体６１の外輪郭線の外側へはみ出さない状態でその筐体６１の表面に沿って延出され、その接片部材７２の接点７２ａが上記変換器６０側の電極６８に弾接されている。
【００１２】
この発明であると、ソケット７０のボディ７１や接片部材７２が変換器６０の筐体６１の外側にはみ出していないので、平面視で見た場合のソケット７０の全体の外観が変換器６０の筐体６１よりも大きくなることはない。そのため、携帯電話機などの小型機器に組み込む場合に必要な組込みスペースは変換器６０の筐体６１の大きさと同等であればよくなり、その筐体６１よりも大きな組込みスペースを必要としなくなる。
【００１３】
また、上記接片部材７２が、上記凹入部７７の端面７７ａを起点として上記筐体６１の円形の外輪郭線に沿って円弧状に延び出て、上記筐体６１の外輪郭線の外側へはみ出さない状態でその筐体６１の表面に沿って延出され、その接片部材７２の接点７２ａが上記変換器６０側の電極６８に弾接されているので、接片部材７２をまっすぐにした場合に比べて接片部材７２の長さが長くなり、接片部材７２の弾性によって接点７２ａを変換器側の電極６８に大きな接点圧で接触させることが可能になると同時に、接片部材７２の耐久性が向上して長期に亘る接触信頼性を高めることが可能になる。
【００１４】
本発明では、上記ボディ７１が合成樹脂成形体でなり、そのボディ７１に金属製の板片８５が埋入されていると共に、この板片８５に連設されて上記端子と共に配線基板の半田ランドに半田付けされるダミー端子７４がボディ７１の外周端面８２から突出されていることが望ましい。これによると、上記した接片部材７２に電気的に接続されている端子７３を配線基板の回路パターンに半田付けすることができるだけでなく、それに併せてダミー端子７４をも配線基板の半田ランドに半田付けしてソケット７０を配線基板に実装することができるので、ソケット７０が確実かつ強固に配線基板に実装される。その上、ダミー端子７４の連設されている板片８５がボディ７１に埋入されているので、その板片８５がボディ７１の反り変形などの変形を抑制する補強コアとして作用することになるので、ボディ７１を肉薄にして当該電気音響変換器を薄型にしてもボディ７１の変形が起こらなくなり、そのことが上記した接触信頼性を高めることに役立つ。
【００１５】
さらに、上記ボディ７１が合成樹脂成形体でなり、そのボディ７１に金属製の板片８４が埋入されていると共に、上記接片部材７２とその接片部材に連設された端子７３とが上記板片８４に連設されていることが望ましい。これによると、接片部材７２と端子７３とが連設されている板片８４がボディ７１の補強コアとして作用するので、ボディ７１を肉薄にして当該電気音響変換器を薄型にしてもボディの変形が起こらなくなり、そのことが上記した接触信頼性を高めることに役立つ。
【００１６】
本発明では、上記板片８４，８５に、上記変換器の筐体６１の外周部をボディ７１とで挟持する係合部８７，８８を形成した上記変換器の筐体６１を抱持するためのアーム８６，８８が連設されていてもよい。これによると、変換器の筐体６１の外周部をボディ７１とで挟持するアーム８６，８８で変換器の筐体６１を抱持させることによって、変換器の筐体６１の上にソケット７０が重なり状に保持されるようになる。
【００１７】
【発明の実施の形態】
図１は本発明の実施形態に係る電気音響変換器用ソケット７０と、電気音響変換器６０と、ソケット７０を装着した電気音響変換器６０が組み付けられる小型機器の一例である携帯電話の受話部分とを示した概略分解斜視図である。また、図２は電気音響変換器６０を携帯電話の受話部分に組み付けた状態の平面図、図３はソケット７０を図１の矢視Ａ方向から見た概略斜視図である。
【００１８】
図１のように、電気音響変換器（以下「変換器」という）６０は、平面視円形に形成された偏平な筐体６１を有し、その変換器６０にソケット７０が組み合わされる。また、携帯電話の受話部分は、内ケース９１及び外ケース９２の受話側端部によって形成されており、内ケース９１の内側に、欠円形状の囲み枠９３が備わっていて、その囲み枠９３で囲まれた部分に所要数の音孔９４が備わっている。
【００１９】
図６に変換器６０の内部構造を示してある。同図のように、図例の変換器６０はダイナミック型であって、マグネット６２とポールピース６３とヨーク６４と振動板６５と振動板６５に設けられたボイスコイル６６とを筐体６１に収容してなる。同図に現れているように、筐体６１は偏平な薄形形状に形成されていると共に、中央部に円形の突出部６７を有し、その突出部６７の両側の表面に面状の電極６８，６８が対称関係を保って備わっている。これらの電極６８，６８には、上記ボイスコイル６６から延び出たリード線（不図示）の端部が電気的に接続されている。
【００２０】
図１のように、ソケット７０は、合成樹脂成形体でなる偏平なボディ７１と、左右一対の接片部材７２，７２と、一対の端子７３，７３と、１つのダミー端子７４などを備えている。
【００２１】
図１〜図３のように、ボディ７１は肉薄であって、左右に長い基部７５と、この基部７５から後向きに突き出た突片部７６と、基部７５と突片部７６とによって形成されて突片部７６の両側に位置する凹入部７７，７７とを有している。また、基部７５の左右の端面７５ａ，７５ａが略円弧状に形成されていると共に、それらの端面７５ａ，７５ａにコーナ部７５ｂ，７５ｂを介して上記凹入部７７，７７の後向きの端面７７ａ，７７ａが連設されている。そして、上記した変換器６０の筐体６１の上にソケット７０のボディ７１を重なり状に配備するときには、上記基部７５の左右の略円弧状の端面７５ａ，７５ａが、変換器６０の筐体６１の外輪郭線（円形である）に対して位置合わせされ、しかも、そのような位置合わせが行われたときには、上記凹入部７７，７７が変換器６０の筐体６１の表面に対向する。言い換えると、ボディ７１が筐体６１の外輪郭線の外側にはみ出さない状態でその筐体６１の上に重なり合って、凹入部７７，７７が変換器６０の筐体６１の表面に面した状態になる。また、ボディ７１には、変換器６０の突出部６７が嵌まり込む凹所７８が備わっている。
【００２２】
ソケット７０の左右の接片部材７２，７２は対称に配備されていて、上記した凹入部７７，７７の後向きの端面７７ａ，７７ａを起点として後方に円弧状に延び出ている。そして、ボディ７１を変換器６０の筐体６１の上に重なり状に配備したときには、それらの接片部材７２，７２が図２のように筐体６１の外輪郭線に沿う形になって筐体６１の外輪郭線の外側にはみ出さない状態に配備される。また、左右の各接片部材７２，７２の先端部には円弧状に成形された接点７２ａ，７２ａが備わっている。
【００２３】
また、ソケット７０のボディ７１にあっては、そのボディ７１の外周端面の一部である基部前端面８１の左右両側に、左右一対の端子７３，７３がその前端面８１を起点として前方に突き出ていると共に、ボディ７１の外周端面の他の一部である突片部後端面８２に、ダミー端子７４がその後端面８２を起点として後方に突き出ている。図２に破線で示したように、左側の接片部材７２と左側の端子７３とは、ボディ７１の基部７５の左側部分に埋入されている金属製の板片８４に略反対向きに連設されている。同様に、右側の接片部材７２と右側の端子７３とは、ボディ７１の基部７５の右側部分に埋入されている金属製の板片８４に略反対向きに連設されている。さらに、ダミー端子７４は、ボディ７１の突片部７６に埋入されている板片８５に連設されている。このため、各板片８４，８５がボディ７１の補強コアとして機能しており、ボディ７１が薄肉であるにもかかわらず、そのボディ７１に優れた耐変形性が付与されている。
【００２４】
図２のように、変換器６０の筐体６１の上にソケット７０のボディ７１を重ね合わせ、かつ、そのボディ７１の基部７５の左右の略円弧状の端面７５ａ，７５ａを筐体６１の外輪郭線（円形である）に対して位置合わせすると、ボディ７１の凹入部７７，７７が筐体６１の表面に対向してその凹入部７７，７７が筐体６１に面し、しかも、左右の接片部材７２，７２が筐体６１の表面に沿って筐体６１の外輪郭線の外側にはみ出さない位置に配備される。また、変換器６０の筐体６１とソケット７０との周方向での位置合わせを適切に行うと、左右の接片部材７２，７２のそれぞれの接点７２ａ，７２ａが変換器６０側の左右一対の電極６８，６８に各別に弾接する。
【００２５】
上記のようにしてソケット７０を変換器６０に装着しておくと、平面視で見た場合の全体の外観が変換器６０の筐体６１よりも大きくなることはない。そのため、ソケット７０を装着した変換器６０を携帯電話機などの小型機器に組み込む場合に必要な組込みスペースは、変換器６０の筐体６１の大きさと同等であればよくなり、その筐体６１よりも大きな組込みスペースを必要としなくなる。
【００２６】
そこで、図１や図２に示した携帯電話の受話部分の内ケース９１に設けられている囲み枠９３の内周直径を、変換器６０の筐体６１の大きさ（すなわち筐体６１の外周直径）に合わせてあり、その囲み枠９３に筐体６１を嵌め込むことによって筐体６１が内ケース８１に装備されるようになっている。また、図例では、囲み枠９３に欠円部９５を具備させ、この欠円部９５に、変換器６０の筐体６１に具備させた突起６９を嵌め込むことによって、変換器６０の取付姿勢を一定に定めることができるようにしてある。変換器６０の筐体６１の上に重なり状に配備されて囲み枠９３に嵌め込まれたソケット７０は、内ケース９１に外ケース９２を合わせ結合した場合に、たとえば、外ケース９２の所定箇所で押し付けられて定位置に位置決めされる。
【００２７】
なお、図１〜図３において、、ソケット７０側の端子７３，７３は、図示していない配線基板（図１の外ケース９２の内側に設置されている）の回路パターンに半田付けされる。また、ダミー端子７４は配線基板半田ランドに半田付けされる。そのため、ソケット７０が２つの端子７３，７３と１つのダミー端子７４とによって強固に配線基板に実装される。
【００２８】
図４及び図５は、ソケット７０に変換器６０の筐体６１を抱持する機能を持たせた事例を示している。すなわち、この事例では、ボディ７１の突片部７６に埋入されている板片８５に連設したアーム８６を、突片部７６の後端面８２から後方へ突出させてあると共に、そのアーム８６に上記筐体６１の外周部をボディ７１と共働して挟持する係合部８７を形成してある。また、ボディ７１の基部７５の左右の各部分に埋入されている金属製の板片８４，８４に連設したアーム８８，８８を、基部７５の左右の端面から側方へ突出させてあると共に、それらのアーム８８，８８に上記筐体６１の外周部をボディ７１と共働して挟持する係合部８９，８９を形成してある。
【００２９】
この事例によれば、３つのアーム８６，８８，８８の抱持作用によって、変換器６０の筐体６１とソケット７０とを重なり状に一体化することができるようになるので、変換器６０とソケット７０とでなる電気変換音響装置をユニットとして扱って携帯電話の受話部分に組み込む作業を行うことができるようになる利便がある。その他の事項は図１〜図３で説明したところと同様であるので、説明の重複を避けるため、同一部分に同一符号を付して詳細な説明を省略する。
【００３０】
【発明の効果】
以上のように、本発明によれば、平面視で見たときの全体の外観が変換器の筐体の大きさよりも大きくならないソケットを提供することが可能になる。そのため、ソケットを装着した電気音響変換器を携帯電話機などの小型機器に組み込む場合に必要な組込みスペースを狭くすることが可能になり、それだけ機器の小型化を達成しやすくなる。また、ソケットは、小型であっても変換器側の電極に対する接片部材の接点の接点圧を長期に亘って大きく確保することができ、しかも、接触安定性を向上させることが可能になる。
【図面の簡単な説明】
【図１】  本発明の実施形態に係るソケットや携帯電話の受話部分などを示した概略分解斜視図である。
【図２】  ソケットを装着した電気音響変換器を携帯電話の受話部分に組み付けた状態の平面図である。
【図３】  ソケットを図１の矢視Ａ方向から見た概略斜視図である。
【図４】  変形例によるソケットを備えた電気音響変換器を携帯電話の受話部分に組み付けた状態の平面図である。
【図５】  変形例によるソケットの概略斜視図である。
【図６】  変換器の内部構造を例示した断面図である。
【図７】  従来のソケットとそのソケットが組み合わされる電気音響変換器の分解斜視図である。
【符号の説明】
６０  変換器（電気音響変換器）
６１  筐体
６８  電極
７０  ソケット
７１  ボディ
７２  接片部材
７２ａ  接点
７３  端子
７４  ダミー端子
７５ａ  略円弧状の端面
７７  凹入部
７７ａ  凹入部の端面
８２  ボディの外周端面（突片部の後端面）
８４，８５  板片
８６，８８  アーム
８７，８９    係合部
【図１】
0003704455.tif 000002
【図２】
0003704455.tif 000003
【図３】
0003704455.tif 000004
【図４】
0003704455.tif 000005
【図５】
0003704455.tif 000006
【図６】
0003704455.tif 000007
【図７】
0003704455.tif 000008